(57)【特許請求の範囲】
【請求項１】
室内温度検出部（８）によって検出された室内温度と室外温度検出部（９）によって検出された室外温度とに基づいて、起動時における電動膨張弁（４）の開度を設定する空気調和機の起動運転制御装置において、
前回起動時の情報を記憶する前回起動情報記憶部（１５）と、
空気調和機の暖房運転を行っている場合に、起動時における上記空気調和機の状態に基づいて、次回起動時の立ち上がりを速めるように電動膨張弁開度の補正開度を設定して上記前回起動情報記憶部（１５）に記憶させる補正開度設定部（１２，１３，１４）と、
上記空気調和機の暖房運転を行っている場合に、上記前回起動情報記憶部（１５）に記憶されている補正開度を用いて起動時における電動膨張弁（４）の開度を設定する電動膨張弁開度設定部（１１）を備えたことを特徴とする空気調和機の起動運転制御装置。
【請求項２】
請求項１に記載の空気調和機の起動運転制御装置において、上記空気調和機における圧縮機（１）の吐出管温度を検出する吐出管温度検出部（１０）を備えると共に、
上記補正開度設定部（１２，１３，１４）は、
目標吐出管温度を設定する目標吐出管温度設定手段（１２）と、上記空気調和機の圧縮機（１）が駆動されてから所定時間経過時における吐出管温度と上記目標吐出管温度との差を算出する吐出管温度差算出手段（１３）を有して、上記差に応じて上記補正開度を設定するように成っていることを特徴とする空気調和機の起動運転制御装置。
【請求項３】
請求項１に記載の空気調和機の起動運転制御装置において、上記空気調和機における圧縮機（１）の吐出管温度を検出する吐出管温度検出部（１０）を備えると共に、
上記補正開度設定部（１２，１３，１４）は、
目標吐出管温度を設定する目標吐出管温度設定手段（１２）と、上記空気調和機の圧縮機（１）が駆動されてから第１，第２の所定時間経過時に吐出管温度と上記目標吐出管温度との差を算出する吐出管温度差算出手段（１３）を有して、上記２つの差の組み合わせに応じて上記補正開度を設定するように成っていることを特徴とする空気調和機の起動運転制御装置。
【請求項４】
請求項１に記載の空気調和機の起動運転制御装置において、
上記電動膨張弁開度設定部（１１）は、
予め定められた複数の温度範囲のうち前回起動時に用いた上記室内温度および室外温度が夫々属する温度範囲と、前回起動時に設定した上記電動膨張弁開度とを、上記前回起動時の情報として上記前回起動情報記憶部（１５）に記憶させる前回起動時情報設定手段と、
上記両温度検出部（８，９）によって検出された室内温度および室外温度が前回起動情報記憶部（１５）に記憶されている温度範囲内にあるか否かを判定する温度範囲判定手段を有して、
上記温度範囲判定手段によって上記温度範囲内にあると判定された場合には、上記前回起動情報記憶部（１５）から読み出された前回起動時の電動膨張弁開度に対して上記補正開度による補正を行うように成っていることを特徴とする空気調和機の起動運転制御装置。
【発明の詳細な説明】
【０００１】
【発明の属する技術分野】
この発明は、空気調和機の起動運転制御装置の改良に関する。
【０００２】
【従来の技術】
従来、空気調和機におけるサーモオフ後の起動運転時には、室内機内の空気流における吸い込み側のドライ温度（つまり、室内温度）と室外機内の空気流における吸い込み側のドライ温度（つまり、外気温度）を検知し、上記両ドライ温度に基づいて電動膨張弁の開度を設定した後に圧縮機を起動させるようにしている。そして、圧縮機を起動させた後、低圧保護スイッチ（ＬＰＳ）が作動したり、ガス欠信号が発生した場合には、上記電動膨張弁の開度を上げるようにしている。すなわち、起動後における電動膨張弁開度Ｐは、次式によって決定されるのである。
Ｐ＝Ｐ０＋ＰＬＰＳ＋ＰＧＡＳ
ここで、  Ｐ０：室内機側の吸い込み温度と室外機側の吸い込み温
度とに基づいて設定された電動膨張弁開度
ＰＬＰＳ：ＬＰＳ作動による補正開度
ＰＧＡＳ：ガス欠作動による補正開度
【０００３】
【発明が解決しようとする課題】
しかしながら、上記従来の空気調和機におけるサーモオフ後の起動運転時においては、前回の起動運転状態とは関係なく、一律に現在の室内機側吸い込み温度，室外機側吸い込み温度に基づいて電動膨張弁開度を設定し、さらに、起動後はＬＰＳ作動の有無およびガス欠作動の有無に基づいて上記式によって電動膨張弁の開度を設定している。
したがって、空気調和機がサーモオフする毎に同じ立ち上がり時間を要し、立ち上がり時の即暖性が悪いという問題がある。
【０００４】
そこで、この発明の目的は、前回の起動運転状態を考慮に入れることによって即暖性を向上できる空気調和機の起動運転制御装置を提供することにある。
【０００５】
【課題を解決するための手段】
上記目的を達成するため、請求項１に係る発明の空気調和機の起動運転制御装置は、室内温度検出部によって検出された室内温度と室外温度検出部によって検出された室外温度とに基づいて，起動時における電動膨張弁の開度を設定する空気調和機の起動運転制御装置において、前回起動時の情報を記憶する前回起動情報記憶部と、空気調和機の暖房運転を行っている場合に，起動時における上記空気調和機の状態に基づいて，次回起動時の立ち上がりを速めるように電動膨張弁開度の補正開度を設定して上記前回起動情報記憶部に記憶させる補正開度設定部と、上記空気調和機の暖房運転を行っている場合に，上記前回起動情報記憶部に記憶されている補正開度を用いて起動時における電動膨張弁の開度を設定する電動膨張弁開度設定部を備えたことを特徴としている。
【０００６】
上記構成において、空気調和機の暖房運転時に起動運転を行う場合には、補正開度設定部によって、起動時における上記空気調和機の状態に基づいて次回起動時の立ち上がりを速めるように電動膨張弁開度の補正開度が設定されて前回起動情報記憶部に記憶される。
こうした後、次回起動時においては、電動膨張弁開度設定部によって、上記前回起動情報記憶部に記憶されている補正開度を用いて電動膨張弁の開度が設定される。
したがって、次回の起動時における立ち上がりが速められて即暖性が向上される。
【０００７】
また、請求項２に係る発明は、請求項１に係る発明の空気調和機の起動運転制御装置において、上記空気調和機における圧縮機の吐出管温度を検出する吐出管温度検出部を備えると共に、上記補正開度設定部は、目標吐出管温度を設定する目標吐出管温度設定手段と、上記空気調和機の圧縮機が駆動されてから所定時間経過時における吐出管温度と上記目標吐出管温度との差を算出する吐出管温度差算出手段を有して、上記差に応じて上記補正開度を設定するように成っていることを特徴としている。
【０００８】
上記構成において、上記補正開度設定部で補正開度を求める場合には、目標吐出管温度設定手段によって目標吐出管温度が設定され、吐出管温度差算出手段によって上記空気調和機の圧縮機が駆動されてから所定時間経過時における吐出管温度検出部で検出された吐出管温度と上記目標吐出管温度との差が算出される。そして、上記差に応じて上記補正開度が設定される。
こうして、次回起動時における上記電動膨張弁の補正開度が的確に設定されるのである。
【０００９】
また、請求項３に係る発明は、請求項１に係る発明の空気調和機の起動運転制御装置において、上記空気調和機における圧縮機の吐出管温度を検出する吐出管温度検出部を備えると共に、上記補正開度設定部は、目標吐出管温度を設定する目標吐出管温度設定手段と、上記空気調和機の圧縮機が駆動されてから第１，第２の所定時間経過時に吐出管温度と上記目標吐出管温度との差を算出する吐出管温度差算出手段を有して、上記２つの差の組み合わせに応じて上記補正開度を設定するように成っていることを特徴としている。
【００１０】
上記構成において、上記補正開度設定部で補正開度を求める場合には、目標吐出管温度設定手段によって目標吐出管温度が設定され、吐出管温度差算出手段によって上記空気調和機の圧縮機が駆動されてから第１，第２の２つの所定時間経過時に吐出管温度検出部で検出された吐出管温度と上記目標吐出管温度との差が算出される。そして、上記２つの差の組み合わせに応じて上記補正開度が設定される。
こうして、次回起動時における上記電動膨張弁の補正開度がより最適に設定されるのである。
【００１１】
また、請求項４に係る発明は、請求項１に係る発明の空気調和機の起動運転制御装置において、上記電動膨張弁開度設定部は、予め定められた複数の温度範囲のうち前回起動時に用いた上記室内温度および室外温度が夫々属する温度範囲と，前回起動時に設定した上記電動膨張弁開度とを，上記前回起動時の情報として上記前回起動情報記憶部に記憶させる前回起動時情報設定手段と、上記両温度検出部によって検出された室内温度および室外温度が前回起動情報記憶部に記憶されている温度範囲内にあるか否かを判定する温度範囲判定手段を有して、上記温度範囲判定手段によって上記温度範囲内にあると判定された場合には，上記前回起動情報記憶部から読み出された前回起動時の電動膨張弁開度に対して上記補正開度による補正を行うように成っていることを特徴としている。
【００１２】
上記構成において、空気調和機の暖房運転時には、電動膨張弁開度設定部の前回起動時情報設定手段によって、前回起動時に用いた室内温度および室外温度の温度範囲と前回起動時に設定した電動膨張弁開度とが前回起動情報記憶部に記憶される。
そして、上記電動膨張弁開度設定部で次回起動時の電動膨張弁開度が設定される場合には、温度範囲判定手段によって、上記両温度検出部で検出された室内温度および室外温度が前回起動情報記憶部に記憶されている温度範囲内にあるか否かが判定され、上記温度範囲内にあると判定された場合には、上記前回起動情報記憶部から読み出された前回起動時の電動膨張弁開度に対して上記補正開度による補正が行われる。
こうして、次回起動時における電動膨張弁開度が迅速に設定されて、起動時における立ち上がりがより速まって即暖性が更に向上される。
【００１３】
【発明の実施の形態】
以下、この発明を図示の実施の形態により詳細に説明する。
図１は本実施の形態の空気調和機の起動運転制御装置におけるブロック図である。
圧縮機１，四方弁２，室内熱交換器３，電動膨張弁４および室外熱交換器５は順次環状に接続されて空気調和機を構成し、四方弁２を切り替えることによって圧縮機１からの高圧ガス冷媒の方向を反転させて暖房運転あるいは冷房運転が行われる。６はアキュムレータである。
起動運転制御装置７は、後に詳述するようにして、起動運転時に、空気調和機における電動膨張弁４の開度を制御して起動運転制御を行う。
【００１４】
上記起動運転制御装置７は、電動膨張弁開度設定部１１，目標吐出管温度設定部１２，吐出管温度差算出部１３，補正開度設定部１４，前回起動状態記録部１５およびテーブル格納部１６を有している。
上記電動膨張弁開度設定部１１は、室内熱交換器３に対する空気流における吸入側に設置されたサーミスタ８で検出された室内吸入温度（室内温度）Ｔ１と、室外熱交換器５に対する空気流における吸入側に設置されたサーミスタ９で検出された室外吸入温度（外気温度）Ｔ２とに基づいて、起動時における電動膨張弁４の開度Ｐを設定する。そして、圧縮機駆動制御部１７に圧縮機１の運転開始を指令する。目標吐出管温度設定部１２は、起動時における上記圧縮機１の吐出管温度の目標値Ｔｄを設定する。吐出管温度差算出部１３は、圧縮機１の吐出管に設置されたサーミスタ１０で検出された吐出管温度Ｔ３と目標吐出管温度Ｔｄとの差を求める。補正開度設定部１４は、吐出管温度差算出部１３によって求められた値（Ｔｄ−Ｔ３）に基づいて、次回起動時における電動膨張弁開度の補正値である補正開度Ｃｎを設定する。
また、上記テーブル格納部１６には、上記電動膨張弁開度設定，目標吐出管温度設定および補正開度設定の際に参照される各種テーブルが格納されている。さらに、前回起動状態記録部１５には、前回起動時における電動膨張弁開度Ｐ，補正開度Ｃｎ，ＬＰＳ作動あるいはガス欠作動の有無情報が格納されており、電動膨張弁開度設定部１１による電動膨張弁開度Ｐの設定の際に参照される。
【００１５】
上記構成の空気調和機の起動運転制御装置は、暖房運転時において、リモコン１９のオンスイッチが押圧されて最初の起動（つまり、圧縮機１の起動）が開始される際には、電動膨張弁４の開度Ｐを従来の如く室内吸入温度Ｔ１と室外吸入温度Ｔ２とに基づいて決定する。そして、サーモオフ（つまり、圧縮機１の停止）後における２回目以降の起動時には、前回の起動状態を参照して、前回の起動時よりは立ち上がりが速くなって即暖性が向上するように電動膨張弁４の開度を設定するのである。
そして、その際にＬＰＳ作動がある場合やガス欠作動がある場合には、電動膨張弁４の開度を開き気味にするのである。
以下、詳細に説明する。
【００１６】
１．最初の起動時
（１）電動膨張弁４の開度設定
リモコン１９のオンスイッチが押圧されて起動運転制御装置７に対して最初の起動が指令されると、起動運転制御装置７の電動膨張弁開度設定部１１は、室内吸入温度Ｔ１と室外吸入温度Ｔ２とに基づいて、テーブル格納部１６に格納された電動膨張弁開度テーブルを参照して、室内吸込温度Ｔ１と室外吸込温度Ｔ２とに基づく電動膨張弁４の初期開度Ｐ０（電動膨張弁４を開閉するパルスモータ（図示せず）の制御パルス数）を設定する。
ここで、上記電動膨張弁開度テーブルは、図２に示すような室内吸入温度Ｔ１と室外吸入温度Ｔ２と初期開度Ｐ０との関係を表にしたものである。
【００１７】
そして、最初の起動時においては、上記前回起動状態記録部１５における作動状態記録領域には前回の起動時におけるＬＰＳ作動とガス欠作動との有無が記録されていないので、ＬＰＳ作動による補正開度ＰＬＰＳとガス欠作動による補正開度ＰＧＡＳとは共に“０”である。したがって、電動膨張弁開度Ｐは次のように設定されるのである。
Ｐ＝Ｐ０＋ＰＬＰＳ＋ＰＧＡＳ
＝Ｐ０
こうして設定された最初の起動時の電動膨張弁開度Ｐは、前回起動状態記録部１５における電動膨張弁開度記録領域に格納される。また、室内吸入温度Ｔ１と室外吸入温度Ｔ２との電動膨張弁開度テーブル上の領域（図２における領域ａ〜領域ｉに相当）が、前回起動状態記録部１５における温度領域記録領域に格納される。
【００１８】
（２）目標吐出管温度Ｔｄの設定
次に、上記起動運転制御装置７の目標吐出管温度設定部１２は、室内吸入温度Ｔ１と室外吸入温度Ｔ２とに基づいて、テーブル格納部１６に格納された目標吐出管温度テーブルを参照して、室内吸込温度Ｔ１と室外吸込温度Ｔ２とに基づく目標吐出管温度Ｔｄを設定する。
ここで、上記目標吐出管温度テーブルは、図３に示すような室内吸入温度Ｔ１と室外吸入温度Ｔ２と目標吐出管温度Ｔｄとの関係を表にしたものである。尚、その際に圧縮機１の能力が最大となるように（例えば、過熱度が“０度”となるように）上記目標吐出管温度テーブルを作成しておくことによって、より速い立ち上がりを得ることができる。
【００１９】
（３）目標吐出管温度Ｔｄと実吐出管温度Ｔ３との比較
上記電動膨張弁開度設定部１１からの制御信号Ｂ０に基づいて、膨張弁開度制御部１８によって、（１）で設定された電動膨張弁開度Ｐに電動膨張弁４の開度が設定される。そうした後に、電動膨張弁開度設定部１１からの制御信号Ｃ０に基づいて、圧縮機駆動制御部１７によって圧縮機１が駆動される。
そして、時間ａ１（分）が経過すると、上記吐出管温度差算出部１３によって、目標吐出管温度設定部１２で設定された目標吐出管温度Ｔｄと吐出管温度Ｔ３との差（Ｔｄ−Ｔ３）ａ１が算出される。さらに、圧縮機駆動時から時間ａ２（分）が経過すると、吐出管温度差算出部１３によって、目標吐出管温度Ｔｄと吐出管温度Ｔ３との差（Ｔｄ−Ｔ３）ａ２が算出される。
【００２０】
（４）次回起動時における電動膨張弁４の補正開度の設定
そして、圧縮機駆動時から時間ａ１が経過した際には、上記補正開度設定部１４によって、上記吐出管温度差算出部１３で算出された値（Ｔｄ−Ｔ３）ａ１が第１所定温度Ａ１以上か、第２所定値−Ｂ１以下か、または、第１所定温度Ａ１と第２所定値−Ｂ１との間かが判定される。同様に、圧縮機駆動時から時間ａ２が経過した際には、値（Ｔｄ−Ｔ３）ａ２が第３所定温度Ａ２以上か、第４所定値−Ｂ２以下か、または、第３所定温度Ａ２と第４所定値−Ｂ２との間かが判定される。
そして、判定結果に基づいて、上記テーブル格納部１６に格納された補正開度テーブルを参照して、次回起動時における電動膨張弁４の補正開度Ｃｎ（電動膨張弁４を開閉するパルスモータの制御パルス数）の設定が行われる。そして、設定された電動膨張弁４の補正開度Ｃｎが前回起動状態記録部１５の補正開度記録領域に格納される。
ここで、上記補正開度テーブルは、図４に示すような目標吐出管温度Ｔｄと吐出管温度Ｔ３との差の値（Ｔｄ−Ｔ３）ａ１，（Ｔｄ−Ｔ３）ａ２の範囲と補正開度Ｃｎ（ｎ＝１，…，９）との関係を表にしたものである。
【００２１】
尚、上記補正開度テーブルにおいて、
▲１▼  （Ｔｄ−Ｔ３）ａ１≧Ａ１，（Ｔｄ−Ｔ３）ａ２≧Ａ２の場合
図５に示すように、時間ａ１（分）経過時においても時間ａ２（分）経過時においても、吐出管温度Ｔ３は目標吐出管温度Ｔｄに達していないので、次回の電動膨張弁４の開度は前回の起動時における電動膨張弁開度Ｐよりも小さくす
る必要がある。すなわち、補正開度Ｃ１はＣ１＜０となる。
▲２▼  （Ｔｄ−Ｔ３）ａ１≧Ａ１，−Ｂ２＜（Ｔｄ−Ｔ３）ａ２＜Ａ２の場合
図６に示すように、▲１▼と同様に時間ａ１，ａ２経過時には吐出管温度Ｔ３は目標吐出管温度Ｔｄに達してはいないが、時間ａ２経過時には（Ｔｄ−Ａ２）を越えている（目標吐出管温度Ｔｄに近づいている）ので、次回の電動膨張弁４の開度は前回の起動時における電動膨張弁開度Ｐよりも小さく、且つ、▲１▼の場合よりは大きくする必要がある。すなわち、補正開度Ｃ２はＣ１＜Ｃ２＜０とな
る。
▲３▼  （Ｔｄ−Ｔ３）ａ１≧Ａ１，（Ｔｄ−Ｔ３）ａ２≦−Ｂ２の場合
時間ａ１経過時には吐出管温度Ｔ３は目標吐出管温度Ｔｄに達してはいないが、時間ａ２経過時には目標吐出管温度Ｔｄを越えているので、前回の起動時における電動膨張弁開度Ｐは略よかったと判定する。そして、次回の電動膨張弁４の開度は前回の起動時における電動膨張弁開度Ｐと同じにする。すな
わち、補正開度Ｃ３はＣ３＝０となる。
【００２２】
▲４▼  −Ｂ１＜（Ｔｄ−Ｔ３）ａ１＜Ａ１，（Ｔｄ−Ｔ３）ａ２≧Ａ２の場合
時間ａ１，ａ２経過時には吐出管温度Ｔ３は目標吐出管温度Ｔｄに達してはいないが、時間ａ１経過時には（Ｔｄ−Ａ１）を越えている（目標吐出管温度Ｔｄに近づいている）ので、次回の電動膨張弁４の開度は▲２▼と同程度とする。すな
わち、補正開度Ｃ４はＣ１＜Ｃ２≒Ｃ４＜０となる。
▲５▼  −Ｂ１＜（Ｔｄ−Ｔ３）ａ１＜Ａ１，−Ｂ２＜（Ｔｄ−Ｔ３）ａ２＜Ａ２の場合
時間ａ１，ａ２経過時には吐出管温度Ｔ３は目標吐出管温度Ｔｄに達していないが、時間ａ１経過時には（Ｔｄ−Ａ１）を越え、時間ａ２経過時には（Ｔｄ−Ａ２）を越えているので、前回の起動時における電動膨張弁開度Ｐは略よかったと判定する。そして、次回の電動膨張弁４の開度は前回の起動時における電動膨張弁開度Ｐと同じにする。すなわち、補正開度Ｃ５はＣ５＝０となる。
▲６▼  −Ｂ１＜（Ｔｄ−Ｔ３）ａ１＜Ａ１，（Ｔｄ−Ｔ３）ａ２≦−Ｂ２の場合
時間ａ１経過時には吐出管温度Ｔ３は目標吐出管温度Ｔｄに達してはいないが（Ｔｄ−Ａ１）を越え、時間ａ２経過時には目標吐出管温度Ｔｄを越えているので、次回の電動膨張弁４の開度は前回の起動時における電動膨張弁開度Ｐよ
りも大きくする必要がある。すなわち、補正開度Ｃ６はＣ６＞０となる。
【００２３】
▲７▼  （Ｔｄ−Ｔ３）ａ１≦−Ｂ１，（Ｔｄ−Ｔ３）ａ２≧Ａ２の場合
時間ａ１経過時には吐出管温度Ｔ３は目標吐出管温度Ｔｄに達するが、時間ａ２経過時には目標吐出管温度Ｔｄより低下するので、前回の起動時における電動膨張弁開度Ｐは略よかったと判定する。そして、次回の電動膨張弁４の開度は前回の起動時における電動膨張弁開度Ｐと同じにする。すなわち、補
正開度Ｃ７はＣ７＝０となる。
▲８▼  （Ｔｄ−Ｔ３）ａ１≦−Ｂ１，−Ｂ２＜（Ｔｄ−Ｔ３）ａ２＜Ａ２の場合
時間ａ１経過時には吐出管温度Ｔ３は目標吐出管温度Ｔｄに達し、時間ａ２経過時には目標吐出管温度Ｔｄに達していないが（Ｔｄ−Ａ２）を越えてはいるので、次回の電動膨張弁４の開度は▲６▼の場合と同程度とする。すなわち、補正
開度Ｃ８はＣ８≒Ｃ６＞０となる。
▲９▼  （Ｔｄ−Ｔ３）ａ１≦−Ｂ１，（Ｔｄ−Ｔ３）ａ２≦−Ｂ２の場合
時間ａ１経過時には実際の吐出管温度Ｔ３は既に目標吐出管温度Ｔｄに達しており、時間ａ２経過時にも目標吐出管温度Ｔｄを越えているので、次回の電動膨張弁４の開度は、前回の起動時における電動膨張弁開度Ｐよりも大きくし、且つ、▲６▼，▲８▼の場合よりは大きくする必要がある。すなわち、補正開度
Ｃ９は０＜Ｃ６≒Ｃ８＜Ｃ９となる。
【００２４】
尚、上記所定温度Ａ１，Ｂ１，Ａ２，Ｂ２が
Ａ１＝Ｂ１＝５℃，Ａ２＝Ｂ２＝３℃
である場合における各補正開度Ｃ１〜Ｃ９の実際の数値の一例を次に示す。
Ｃ１＝−１０パルス、  Ｃ２＝−５パルス、  Ｃ３＝    ０パルス、
Ｃ４＝  −５パルス、  Ｃ５＝  ０パルス、  Ｃ６＝  ＋５パルス、
Ｃ７＝    ０パルス、  Ｃ８＝＋５パルス、  Ｃ９＝＋１０パルス、
【００２５】
２．２回目以降の起動時
サーモオフ後における起動時（２回目以降の圧縮機運転時）には、上記起動運転制御装置７の電動膨張弁開度設定部１１によって、上記最初の起動時と同様にサーミスタ８による室内吸入温度Ｔ１とサーミスタ９による室外吸入温度Ｔ２とが取り込まれる。そして、前回起動状態記録部１５における温度領域記録領域に格納されている前回の起動時における室内吸入温度Ｔ１と室外吸入温度Ｔ２との電動膨張弁開度テーブル上の領域が参照されて、今回の室内吸入温度Ｔ１と室外吸入温度Ｔ２とが前回と同じ領域にあるか否かが判定される。
そして、上記判定の結果に応じて、次の３通りの起動処理動作が行われる。
（ａ）室内吸入温度Ｔ１と室外吸入温度Ｔ２とが前回の起動時と同じ領域に在る場合
（ｂ）室内吸入温度Ｔ１と室外吸入温度Ｔ２とが前回の起動時と異なる領域に在る場合
（ｃ）前回の起動時に時間ａ１まで圧縮機１が運転されなかった場合
【００２６】
（ａ）の場合
上記起動運転制御装置７の電動膨張弁開度設定部１１によって、２回目以降の起動時における電動膨張弁開度（以下、単に次回電動膨張弁開度と言う）Ｐｎｅｘｔが次式によって設定される。
Ｐｎｅｘｔ＝Ｐｎｏｗ＋Ｃｎ＋α
ここで、Ｐｎｏｗ：前回起動状態記録部１５の電動膨張弁開度記録領域に格納
されている前回起動時における電動膨張弁開度
Ｃｎ：前回起動状態記録部１５の補正開度記録領域に格納されて
いる電動膨張弁４の補正開度
α：前回起動状態記録部１５の作動状態記録領域にＬＰＳ作動あるいはガス欠作動があったことが格納されている場合における補正開度（＋１０パルス）
したがって、例えば、前回起動時における電動膨張弁開度Ｐが＋２００パルスであり、電動膨張弁４の補正開度がＣ４＝−５パルスであり、前回起動時にＬＰＳ作動あるいはガス欠作動があった場合には、次回電動膨張弁開度Ｐｎｅｘｔは次のように設定される。
Ｐｎｅｘｔ＝＋２００パルス＋（−５パルス）＋１０パルス
＝＋２０５パルス
【００２７】
（ｂ）の場合
上記起動運転制御装置７の電動膨張弁開度設定部１１によって、次回電動膨張弁開度Ｐｎｅｘｔが次式によって設定される。
Ｐｎｅｘｔ＝Ｐｎｏｗ０＋α
ここで、Ｐｎｏｗ０：室内吸込温度Ｔ１と室外吸込温度Ｔ２とに基づく電動膨張弁
４の初期開度
尚、（ｂ）の場合には、上述のように、室内吸込温度Ｔ１と室外吸込温度Ｔ２とに基づいて電動膨張弁４の初期開度Ｐｎｏｗ０を新たに設定する。そこで、前回起動時の電動膨張弁開度に対応している補正開度Ｃｎは初期開度Ｐｎｏｗ０の補正開度としては不適当であるので、補正項から削除するのである。
したがって、例えば、室内吸込温度Ｔ１と室外吸込温度Ｔ２とに基づく電動膨張弁４の初期開度Ｐｎｏｗ０が＋１００パルスであり、前回起動時にＬＰＳ作動またはガス欠作動が無かった場合には、次回電動膨張弁開度Ｐｎｅｘｔは次のように設定される。
Ｐｎｅｘｔ＝＋１００パルス＋０パルス
＝＋１００パルス
【００２８】
（ｃ）の場合
上記起動運転制御装置７の電動膨張弁開度設定部１１によって、次回電動膨張弁開度Ｐｎｅｘｔが次式によって設定される。
１）室内吸入温度Ｔ１と室外吸入温度Ｔ２とが前回の起動時と同じ領域に在る場合
Ｐｎｅｘｔ＝Ｐｎｏｗ
２）室内吸入温度Ｔ１と室外吸入温度Ｔ２とが前回の起動時と異なる領域に在
る場合
Ｐｎｅｘｔ＝Ｐｎｏｗ０＋α
【００２９】
上述のようにして次回電動膨張弁開度Ｐｎｅｘｔが設定されると、この次回電動膨張弁開度Ｐｎｅｘｔによって、前回起動状態記録部１５における上記電動膨張弁開度記録領域の内容が更新される。
そして、上記電動膨張弁開度設定部１１からの制御信号Ｂ０に基づいて、膨張弁開閉制御部１８によって、電動膨張弁４の開度が次回電動膨張弁開度Ｐｎｅｘｔに設定され、電動膨張弁開度設定部１１からの制御信号Ｃ０に基づいて、圧縮機駆動制御部１７によって圧縮機１が駆動されて、サーモオフ後における起動が行われる。
そして、時間ａ１および時間ａ２が経過した際に、吐出管温度差算出部１３および補正開度設定部１４によって電動膨張弁４の補正開度Ｃｎが求められて、前回起動状態記録部１５の上記補正開度記録領域の内容が更新される。また、ＬＰＳ作動あるいはガス欠作動の有無によって前回起動状態記録部１５の上記作動状態記録領域の内容が更新されるのである。
こうして、上記前回起動状態記録部１５に格納された上記次回電動膨張弁開度Ｐｎｅｘｔ，補正開度Ｃｎ，ＬＳＰ作動やガス欠作動の有無情報は、次々回の起動時における電動膨張弁開度設定の際に参照されるのである。
【００３０】
このように、本実施の形態においては、起動運転制御装置７に、前回起動状態記録部１５及び電動膨張弁開度設定部１１を設け、この前回起動状態記録部１５の電動膨張弁開度記録領域には前回起動時における電動膨張弁開度Ｐｎｏｗを格納し、補正開度記録領域には次回起動時の補正開度Ｃｎを格納し、作動状態記録領域にはＬＰＳ作動あるいはガス欠作動の有無を格納している。
そして、２回目以降の起動時に電動膨張弁開度設定部１１によって次回電動膨張弁開度Ｐｎｅｘｔを設定するに際しては、前回起動状態記録部１５に格納されている前回起動時の電動膨張弁開度Ｐｎｏｗ，補正開度Ｃｎ，ＬＰＳ作動あるいはガス欠作動の有無を参照して、室内吸入温度Ｔ１と室外吸入温度Ｔ２とが前回の起動時と同じ領域に在る場合には、前回起動時における電動膨張弁開度Ｐｎｏｗを補正開度Ｃｎ，ＬＰＳ作動あるいはガス欠作動による補正開度αで補正して設定する。
したがって、前回起動時における立ち上がりが即暖性を向上する側に補正される。
【００３１】
また、室内吸入温度Ｔ１と室外吸入温度Ｔ２とが前回の起動時と異なる領域に在る場合には、室内吸込温度Ｔ１と室外吸込温度Ｔ２とに基づく電動膨張弁４の初期開度Ｐｎｏｗ０をＬＰＳ作動あるいはガス欠作動による補正開度αで補正して設定している。
したがって、上記初期開度Ｐｎｏｗ０を前回起動状態を参考にして補正できる。
【００３２】
尚、上記実施の形態におけるテーブル格納部１６に格納される電動膨張弁開度テーブル，目標吐出管温度テーブルおよび補正開度テーブルの具体的な内容は、図２〜図４に限定されるものではない。
また、上記実施の形態においては、上記目標吐出管温度テーブルを用いて目標吐出管温度Ｔｄを設定し、補正開度テーブルを用いて補正開度Ｃｎを設定しているが、演算によって目標吐出管温度Ｔｄや補正開度Ｃｎを求めても差し支えない。
また、上記実施の形態においては、上記圧縮機１が駆動されてからの２つの経過時間ａ１，ａ２における目標吐出管温度Ｔｄと吐出管温度Ｔ３との差（Ｔｄ−Ｔ３）ａ１，（Ｔｄ−Ｔ３）ａ２に基づいて、補正開度Ｃｎを求めている。しかしながら、この発明はこれに限定されるものではなく、ただ一つの経過時間における差（Ｔｄ−Ｔ３）に基づいて求めても差し支えない。
また、上記実施の形態においては、上記吐出管温度Ｔ３に基づいて補正開度Ｃｎを設定しているが、この発明はこれに限定されるものではない。
【００３３】
【発明の効果】
以上より明らかなように、請求項１に係る発明の空気調和機の起動運転制御装置は、空気調和機の暖房運転時において、次回起動時の立ち上がりが速まるような電動膨張弁開度の補正開度を補正開度設定部で設定して前回起動情報記憶部に記憶させ、電動膨張弁開度設定部によって、上記前回起動情報記憶部に記憶されている補正開度を用いて次回起動時における電動膨張弁の開度を設定するので、次回起動時の立ち上がりを速めることができる。
したがって、この発明によれば、起動時における即暖性を向上できる。
【００３４】
また、請求項２に係る発明の空気調和機の起動運転制御装置は、上記補正開度設定部で補正開度を設定する場合に、目標吐出管温度設定手段によって目標吐出管温度を設定し、圧縮機が駆動されてから所定時間が経過すると吐出管温度差算出手段によって吐出管温度検出部で検出された吐出管温度と上記目標吐出管温度との差を算出し、この差に応じて上記補正開度を設定するので、次回起動時の立ち上がりが速まるように電動膨張弁開度をより的確に補正できる。
【００３５】
また、請求項３に係る発明の空気調和機の起動運転制御装置は、上記補正開度設定部で補正開度を設定する場合に、目標吐出管温度設定手段によって目標吐出管温度を設定し、圧縮機が駆動されてから第１，第２の所定時間が経過すると吐出管温度差算出手段によって吐出管温度検出部で検出された吐出管温度と上記目標吐出管温度との差を算出し、この２つの差の組み合わせに応じて上記補正開度を設定するので、次回起動時の立ち上がりが速まるように電動膨張弁開度を最適に補正できる。
【００３６】
また、請求項４に係る発明の空気調和機の起動運転制御装置は、電動膨張弁開度設定部の前回起動時情報設定手段によって前回起動時の室内・室外温度の温度範囲と電動膨張弁開度を前回起動情報記憶部に記憶し、次回起動時における電動膨張弁開度設定に際して、上記電動膨張弁開度設定部は、上記温度検出部で検出された室内・室外温度が前回起動情報記憶部に記憶されている温度範囲内にあると温度範囲判定手段によって判定されると、上記前回起動情報記憶部から読み出した前回起動時の電動膨張弁開度に対して上記補正開度による補正を行うので、上記検出された室内・室外温度が前回起動時の室内・室外温度と同じ温度範囲にある場合には電動膨張弁開度の初期開度を設定する必要がない。
したがって、この発明によれば、次回起動時における電動膨張弁開度を迅速に設定して、起動時における立ち上がりをより速めて即暖性を更に向上できる。
【図面の簡単な説明】
【図１】この発明の空気調和機の起動運転制御装置におけるブロック図である。
【図２】電動膨張弁開度テーブルの説明図である。
【図３】目標吐出管温度テーブルの説明図である。
【図４】補正開度テーブルの説明図である。
【図５】図４に示す補正開度テーブルにおいて補正開度ＣｎがＣ１である場合の吐出管温度Ｔ３の変化を示す図である。
【図６】図４に示す補正開度テーブルにおいて補正開度ＣｎがＣ２である場合の吐出管温度Ｔ３の変化を示す図である。
【符号の説明】
１…圧縮機、                      ４…電動膨張弁、
７…起動運転制御装置、            ８〜１０…サーミスタ、
１１…電動膨張弁開度設定部、      １２…目標吐出管温度設定部、
１３…吐出管温度差算出部、        １４…補正開度設定部、
１５…前回起動状態記録部、        １６…テーブル格納部。
【図１】
0003546544.tif 000002
【図２】
0003546544.tif 000003
【図３】
0003546544.tif 000004
【図４】
0003546544.tif 000005
【図５】
0003546544.tif 000006
【図６】
0003546544.tif 000007